(57)【要約】【課題】  簡単安価な構成によりＰＳＴＮ経由のファクシミリ通信、ＩＰ網経由のファクシミリ通信、および電子メール通信の通信管理を統合化する。【解決手段】  ＰＳＴＮと接続する回線Ｉ／Ｆ部１０６、ＩＰ網およびローカルネットワークと接続するＬＡＮＩ／Ｆ部１１５を有し、ＰＳＴＮまたはＩＰ網経由でファクシミリ手順を用いて通信を行なう画像通信装置において、電子メールの送受信、ユーザフォルダへの電子メール蓄積、および外部装置への電子メールダウンロードを制御するメールサーバ部１１７を稼働させ、ＰＳＴＮまたはＩＰ網経由で行なったファクシミリ通信において送受信した画像データまたは当該の管理情報を所定のユーザフォルダに蓄積するとともに、外部装置の要求に応じてユーザフォルダに蓄積された電子メールを外部装置にダウンロードさせる。【選択図】  図１
2005159698.tif 000002
【特許請求の範囲】
【請求項１】
一般公衆回線網と接続する回線インターフェース手段と、ＩＰ網およびローカルネットワークと接続するネットワークインターフェース手段と、一般公衆回線網またはＩＰ網経由でファクシミリ手順を用いて通信を行なうファクシミリ通信手段を有する画像通信装置において、
電子メールの送受信、およびユーザフォルダへの電子メール蓄積を制御する、ループバックアドレスまたは前記ネットワークインターフェース手段のアドレスを介してアクセス可能なメールサーバ手段を有し、
一般公衆回線網またはＩＰ網経由で行なったファクシミリ通信において送受信した画像データまたは当該ファクシミリ通信に関する管理情報を前記メールサーバ手段の制御により所定のユーザフォルダに蓄積することを特徴とする画像通信装置。
【請求項２】
前記メールサーバ手段は、外部装置の要求に応じてユーザフォルダに蓄積された電子メールを外部装置にダウンロードさせる機能を有することを特徴とする請求項１に記載の画像通信装置。
【請求項３】
前記ファクシミリ通信を一般公衆回線網またはＩＰ網経由のいずれで行なったかに応じて、前記ユーザフォルダに蓄積する電子メールのヘッダ情報として異なるヘッダ情報を形成することを特徴とする請求項１に記載の画像通信装置。
【請求項４】
前記メールサーバ手段は前記ＩＰ網側のメールサーバから受信した電子メールを宛先のユーザフォルダに蓄積することを特徴とする請求項１に記載の画像通信装置。
【請求項５】
前記メールサーバ手段は前記ローカルネットワーク側の外部装置が発信した電子メールを前記ＩＰ網側のメールサーバに転送することを特徴とする請求項１に記載の画像通信装置。
【請求項６】
一般公衆回線網と接続する回線インターフェース手段と、ＩＰ網およびローカルネットワークと接続するネットワークインターフェース手段と、一般公衆回線網またはＩＰ網経由でファクシミリ手順を用いて通信を行なうファクシミリ通信手段を有する画像通信装置の制御方法において、
電子メールの送受信、およびユーザフォルダへの電子メール蓄積を制御する、ループバックアドレスまたは前記ネットワークインターフェース手段のアドレスを介してアクセス可能なメールサービスを稼働させ、
一般公衆回線網またはＩＰ網経由で行なったファクシミリ通信において送受信した画像データまたは当該ファクシミリ通信に関する管理情報を前記メールサービスの制御により所定のユーザフォルダに蓄積することを特徴とする画像通信装置の制御方法。
【請求項７】
前記メールサービスは外部装置の要求に応じてユーザフォルダに蓄積された電子メールを外部装置にダウンロードさせる機能を有することを特徴とする請求項６に記載の画像通信装置の制御方法。
【請求項８】
前記ファクシミリ通信を一般公衆回線網またはＩＰ網経由のいずれで行なったかに応じて、前記ユーザフォルダに蓄積する電子メールのヘッダ情報として異なるヘッダ情報を形成することを特徴とする請求項６に記載の画像通信装置の制御方法。
【請求項９】
前記メールサービスにより前記ＩＰ網側のメールサーバから受信した電子メールを宛先のユーザフォルダに蓄積することを特徴とする請求項６に記載の画像通信装置の制御方法。
【請求項１０】
前記メールサービスにより前記ローカルネットワーク側の外部装置が発信した電子メールを前記ＩＰ網側のメールサーバに転送することを特徴とする請求項６に記載の画像通信装置の制御方法。
【請求項１１】
一般公衆回線網と接続する回線インターフェース手段と、ＩＰ網およびローカルネットワークと接続するネットワークインターフェース手段と、一般公衆回線網またはＩＰ網経由でファクシミリ手順を用いて通信を行なうファクシミリ通信手段を有する画像通信装置の制御プログラムにおいて、
電子メールの送受信、ユーザフォルダへの電子メール蓄積、および外部装置への電子メールダウンロードを制御する、ループバックアドレスまたは前記ネットワークインターフェース手段のアドレスを介してアクセス可能なメールサービスを稼働させ、
一般公衆回線網またはＩＰ網経由で行なったファクシミリ通信において送受信した画像データまたは当該ファクシミリ通信に関する管理情報を前記メールサービスの制御により所定のユーザフォルダに蓄積するとともに、外部装置の要求に応じてユーザフォルダに蓄積された電子メールを外部装置にダウンロードさせるための制御過程を含むことを特徴とする画像通信装置の制御プログラム。
【請求項１２】
前記メールサービスにより外部装置の要求に応じてユーザフォルダに蓄積された電子メールを外部装置にダウンロードさせるための制御過程を含むことを特徴とする請求項１１に記載の画像通信装置の制御プログラム。
【請求項１３】
前記ファクシミリ通信を一般公衆回線網またはＩＰ網経由のいずれで行なったかに応じて、前記ユーザフォルダに蓄積する電子メールのヘッダ情報として異なるヘッダ情報を形成するための制御過程を含むことを特徴とする請求項１１に記載の画像通信装置の制御プログラム。
【請求項１４】
前記メールサービスにより前記ＩＰ網側のメールサーバから受信した電子メールを宛先のユーザフォルダに蓄積するための制御過程を含むことを特徴とする請求項１１に記載の画像通信装置の制御プログラム。
【請求項１５】
前記メールサービスにより前記ローカルネットワーク側の外部装置が発信した電子メールを前記ＩＰ網側のメールサーバに転送するための制御過程を含むことを特徴とする請求項１１に記載の画像通信装置の制御プログラム。
【発明の詳細な説明】
【技術分野】
【０００１】
本発明は、一般公衆回線網またはＩＰ網経由で画像通信を行なう画像通信装置、画像通信装置の制御方法、および画像通信装置の制御プログラムに関するものである。
【背景技術】
【０００２】
手軽に画像データを送受信できる通信装置としてファクシミリ装置は広く普及している。旧来のファクシミリ装置はＰＳＴＮ（一般公衆電話回線）経由で通信を行なうものであったが、近年ではインターネットのようなＩＰ網経由でファクシミリ通信を行なう技術（たとえばＩＴＵ−Ｔ勧告Ｔ．３７およびＴ．３８）も広く知られており、また、ＰＳＴＮおよびＩＰ網の双方を用いてファクシミリ通信を行なう画像通信装置も知られている。
【０００３】
このような画像通信装置においては、たとえば宛先として電話番号が指定された場合は公衆回線網経由によるファクシミリ送信を実行し、宛先として電子メールアドレスが指定された場合はインターネット経由によるファクシミリ送信を実行する。
【０００４】
なお、ＰＳＴＮ経由のファクシミリ通信は、インターネットのようなＩＰ網経由のファクシミリ通信と比べて料金、通信時間の点で劣位であるが、機密性、確実性、即時性の点で優位であり、また、現時点ではＰＳＴＮ経由の通信にしか対応していない端末も多数存在するなどの事情もあり、この種の画像通信装置では場合に応じて両者を使い分けることができるよう両方のファクシミリ通信をサポートするのが望ましい。
【０００５】
また、近年になってＡＤＳＬによるインターネット環境が一般家庭に急速に普及しており、一般家庭でもＰＳＴＮとして使用する低速回線のモジュラージャックと、ＩＳＰ（インターネットサービスプロバイダ）にＬＡＮ接続される高速のＬＡＮポートとの２つのインターフェースの両方を持っていることはそれほど珍しくない。
【０００６】
また、ＩＰ網上の通信手段として最も広く普及しているのは電子メールである。初期の電子メールはテキスト（文字コード）データのみを送受信するものであったが、現在ではテキストデータ以外のデータを送受信可能であり、たとえばこの電子メールを利用すればファクシミリ手順を用いることなくＩＰ網上で画像データを送受信することが可能である。
【０００７】
現在では、電子メールの配送に関してはＳＭＴＰ（Ｓｉｍｐｌｅ  Ｍａｉｌ  Ｔｒａｎｓｆｅｒ  Ｐｒｏｔｏｃｏｌ：下記の非特許文献１）が広く用いられている。また、宛先ホストがＩＳＰ（インターネットサービスプロバイダ）のメールサーバから受信メールをダウンロードするために、ＰＯＰ３（Ｐｏｓｔ  Ｏｆｆｉｃｅ  Ｐｒｏｔｏｃｏｌ  −  Ｖｅｒｓｉｏｎ  ３：下記の非特許文献２）やＩＭＡＰ（Ｉｎｔｅｒｎｅｔ  Ｍｅｓｓａｇｅ  Ａｃｃｅｓｓ  Ｐｒｏｔｏｃｏｌ：下記の非特許文献３）が用いられている。
【非特許文献１】RFC2821 "Simple Mail Transfer Protocol": http://www.faqs.org/rfcs/rfc2821.html
【非特許文献２】RFC1939 "Post Office Protocol - Version 3": http://www.faqs.org/rfcs/rfc1939.html
【非特許文献３】RFC2060 "Internet Message Access Protocol - Version 4rev1": http://www.faqs.org/rfcs/rfc2060.html
【発明の開示】
【発明が解決しようとする課題】
【０００８】
上述のＰＳＴＮおよびＩＰ網の双方を用いてファクシミリ通信を行なう画像通信装置は電子メール通信にも対応可能に構成されるのが普通である。ＩＰ網接続が可能であれば、ＩＰ網の標準的な通信手段である電子メール送受信もサポートするのはごく自然であり、また、インターネットファクシミリ通信手段としてＩＴＵ−Ｔ勧告Ｔ．３７のインターネットファクシミリ通信（以下ＩＦＡＸとも記す）手順を用いるのであれば、この手順は電子メールシステムを利用しているので、電子メールの対応は必須である。
【０００９】
しかしながら、従来ではファクシミリ通信と電子メール通信の両方に対応したこの種の画像通信装置において、ＰＳＴＮ経由のファクシミリ通信、ＩＰ網経由のファクシミリ通信、および電子メール通信の通信管理を統一的に行なうことができない、という問題があった。従来のこの種の画像通信装置では、ＰＳＴＮ経由のファクシミリ通信、ＩＰ網経由のファクシミリ通信、および電子メール通信の通信管理情報（たとえば通信日時、通信相手、送受信データなどの管理情報）はそれぞれ別個に管理されており、たとえばユーザはこれらの送受信簿をそれぞれ独立した別のユーザーインターフェースを介して参照しなければならず、送受信履歴の確認作業は非常に面倒なものであった。
【００１０】
また、ファクシミリ装置のような画像通信装置では、ディスプレイやキーボードのようなユーザーインターフェースのためのハードウェアが貧弱な場合が多く、また、通信管理ソフトウェアがファクシミリ装置に組み込まれているため、たとえばＰＣ（パーソナルコンピュータ）の電子メール管理ソフトウェアなどに比べると処理能力が低い、融通が効かない、カスタマイズ範囲が狭い、といった問題があった。
【００１１】
本発明の課題は、上記の問題を解決し、簡単安価な構成によりＰＳＴＮ経由のファクシミリ通信、ＩＰ網経由のファクシミリ通信、および電子メール通信の通信管理を統合し、ユーザが通信管理作業を極めて容易に行なえるようにすることにある。
【課題を解決するための手段】
【００１２】
本発明は、上記課題を解決するために、一般公衆回線網と接続する回線インターフェース手段と、ＩＰ網およびローカルネットワークと接続するネットワークインターフェース手段と、一般公衆回線網またはＩＰ網経由でファクシミリ手順を用いて通信を行なうファクシミリ通信手段を有する画像通信装置、その制御方法、およびその制御プログラムにおいて、電子メールの送受信、ユーザフォルダへの電子メール蓄積、および外部装置への電子メールダウンロードを制御する、ループバックアドレスまたは前記ネットワークインターフェース手段のアドレスを介してアクセス可能なメールサービスを稼働させ、一般公衆回線網またはＩＰ網経由で行なったファクシミリ通信において送受信した画像データまたは当該ファクシミリ通信に関する管理情報を前記メールサービスの制御により所定のユーザフォルダに蓄積するとともに、外部装置の要求に応じてユーザフォルダに蓄積された電子メールを外部装置にダウンロードさせる構成を採用した。
【発明の効果】
【００１３】
以上の構成によれば、簡単安価な構成によりＰＳＴＮ経由のファクシミリ通信、ＩＰ網経由のファクシミリ通信、および電子メール通信の通信管理を統合し、機能豊富で柔軟性のある、またユーザの好みの電子メール処理プログラムを用いて、ソートや検索機能を利用して通信結果、日時、通信相手などの情報を容易に抽出することができ、ユーザの通信管理作業を極めて容易に、また著しく効率化することができる。
【発明を実施するための最良の形態】
【００１４】
以下、図面に示した実施例に基づき本発明を詳細に説明する。以下では、ＩＰ網およびＰＳＴＮを介して画像通信ないし電子メール通信を行なう画像通信装置、その制御方法、ないしその制御プログラムにおいて、ＰＳＴＮ経由のファクシミリ通信、ＩＰ網経由のファクシミリ通信、および電子メール通信の通信管理の統合化をはかるに好適な構成を示す。
【実施例１】
【００１５】
図１は、本発明を採用した通信装置２０５の制御系の構成を示している。この通信装置２０５の制御系は図示のようにシステムバス１０１上に下記のような構成部材を接続することにより構成される。
【００１６】
図１において、ＲＯＭ１０２は、ＣＰＵ１０３により実行されるコンピュータプログラム（装置全体を制御するためのソフトウエア）を格納したリードオンリメモリであり、ＣＰＵ１０３は、ＲＯＭ１０２に格納されているプログラムを実行することにより装置全体の制御を行なう。
【００１７】
なお、後述の処理において電子メールデータのテキストを画像データに変換する際に、文字コードからビットマップイメージデータに変換する場合などに用いられるフォントデータ（たとえばビットマップ形式）は、ＲＯＭ１０２に格納されている。
【００１８】
また、図１にブロックとして示した機能もハードウェアのみならずＣＰＵ１０３のソフトウエアにより構成できるものがある。たとえばメールサーバ部１１７の電子メール処理や画素密度変換部１０９の画素密度変換処理などがこれに対応するが、以下では特に必要な場合を除き、その機能がハードウェア／ソフトウェアのいずれで構成されるかについては省略し、単にそのブロックの機能のみを説明する。
【００１９】
ＲＡＭ１０４は制御に必要な各種のデータを記憶するためのランダムアクセスメモリであり、ＦＡＸ番号やインターネットアドレス等の宛先登録情報も記憶する。
【００２０】
蓄積メモリ１０５は、ファクシミリ通信の通信管理データと画像データや電子メールのデータを記憶するためのメモリである。蓄積メモリ１０５の構成は任意であるが、そのハードウェアにはハードディスクやＲＡＭディスクを用いることができ、その場合、これらの記憶媒体上に特定形式のファイルシステムを形成して利用するのが好都合である。以下では、蓄積メモリ１０５は、このようなファイルシステムを持つ構成を前提とし、そのファイルやディレクトリ（フォルダ）の格納位置を必要に応じて示す。
【００２１】
回線Ｉ／Ｆ部１０６は、ＰＳＴＮ（一般公衆電話回線）とのインターフェースで、モデム、ＮＣＵ（網制御ユニット）、などから構成され、ＣＰＵ１０３の制御にしたがってＰＳＴＮに対する発呼／着呼、通信動作を行なう。
【００２２】
プリンタ部１１１は画像の記録出力のためのもので、電子写真方式やインクジェット方式などの記録方式を有するプリンタエンジンから構成される。
【００２３】
読み取り部１１２は原稿画像の読み取りを行なうためのもので、光学イメージセンサおよび原稿搬送部などから構成される。
【００２４】
ＩＯ制御部１０７は、ＣＰＵ１０３による制御にしたがって、プリンタ部１１１による記録動作、読取部１１２による読取動作、ないしこれらに対する画像データの入出力動作を制御する。
【００２５】
操作部１１３および表示部１１４はユーザーインターフェース手段を構成し、操作部１１３はテンキー、文字キー、ファンクションキーなどを持つキーボードから構成される。表示部１１４は液晶表示器などから構成される。特に操作部１１３のファンクションキーには、送信宛先を指定するためのワンタッチボタン（宛名１〜宛名ｎ）が含まれるものとする。
【００２６】
ＩＯ制御部１０８は、ＣＰＵ１０３による制御にしたがって、操作部１１３および表示部１１４に対するデータ入出力を制御する。
【００２７】
画素密度変換部１０９は、画像データの解像度変換、ページサイズの変換、およびミリ／インチの変換等を行なう。
【００２８】
圧縮伸長部１１０は、読取部１１２により読み取られた画像データを符号化（ＭＨ，ＭＲ，ＭＭＲ等）したり、また、受信した符号化データを復号化したりする。また、圧縮伸長部１１０はファクシミリの画像フォーマットのみならず、ＪＰＥＧ、ＴＩＦＦ、ＧＩＦ、ＰＮＧなどインターネット通信において広く用いられている画像フォーマットもサポートし、これら複数の画像フォーマット間でのデータ変換も行なえるものとする。
【００２９】
ＬＡＮ＿Ｉ／Ｆ部１１５は、ＬＡＮに接続するためのネットワークインターフェース（たとえばＣＳＭＡ／ＣＤインターフェース）であり、ＡＤＳＬ接続環境においてはルータ（図２の２０４）またはＡＤＳＬモデム（図２の２０３）に接続される。
【００３０】
本実施例の通信装置２０５は、ファクシミリ通信機能とともに電子メール通信機能を有する。
【００３１】
電子メール通信機能を構成するのは、主としてメール制御部１１６およびメールサーバ部１１７である。
【００３２】
メール制御部１１６は、電子メール処理において次のような機能を担当する。
【００３３】
・インターネット経由による電子メールとしてファクシミリ送信を行なう場合に、圧縮伸長部１１０で符号化されたバイナリイメージデータを、メール制御部１１６でテキストコード化イメージデータに変換し、さらに宛先のメールアドレス等のヘッダ情報を付け加えファクシミリフォーマットのイメージデータを電子メールとして送信可能な電子メールテキストを生成する。
【００３４】
・インターネット経由で受信した電子メールフォーマットのイメージデータをファクシミリフォーマットのイメージデータに逆フォーマット変換する。
【００３５】
・上記各変換処理において、必要に応じて画素密度変換部１０９による画素密度変換や圧縮伸長部１１０による画像フォーマット変換を用いる。たとえば、ファクシミリフォーマットのイメージデータ形式（たとえばＭＨデータ）にフォーマット変換されたデータは、圧縮伸長部１１０によってプリンタ部１１１で出力可能なビットマップイメージデータに復号化してからプリンタ部１１１で印刷出力することができる。
【００３６】
メールサーバ部１１７は、ＳＭＴＰサービスおよびＰＯＰ３（あるいはＩＭＡＰ）サービスの２つのネットワークサービスを提供する。ＳＭＴＰサービスは、主にローカルマシン（通信装置２０５）からＩＰ網側へのメール配送、およびユーザースプール（あるいはユーザフォルダ）の管理を行なう。ＰＯＰ３サービスは、外部のＰＣ（図２の２０７、２０８）などのクライアントからの要求に応じて、ユーザースプール（あるいはユーザフォルダ）に格納された電子メールデータをクライアントにダウンロード（あるいはさらに削除など）させるためのものである。
【００３７】
また、後述のように外部のＰＣ（図２の２０７、２０８）がメールサーバ部１１７のＳＭＴＰサービス経由でＩＰ網のＩＳＰのメールサーバへ電子メールを転送することも考えられる。
【００３８】
本実施例では、メールサーバ部１１７が管理するユーザースプール（あるいはユーザフォルダ）には電子メールデータだけではなく、ＰＳＴＮ経由あるいはＩＰ網経由のファクシミリ通信を行なった場合は、その送受信データを上記のメール制御部１１６の変換処理により電子メールフォーマットに変換した上でユーザースプール（あるいはユーザフォルダ）に格納する。これにより、送受信ファクシミリデータおよび送受信電子メールデータを一元管理することができ、また、ＰＯＰ３サービスを利用して外部のＰＣにこれら送受信ファクシミリデータおよび送受信電子メールデータをダウンロードしてＰＣ側のより柔軟なメール管理機能を利用して管理することができる。
【００３９】
図２は、図１の通信装置２０５の接続構成の一例を示している。
【００４０】
この例では、通信装置２０５は、ＰＳＴＮ回線Ｉ／ＦとＬＡＮ＿Ｉ／Ｆの２つを持つ。通信装置２０５のＬＡＮ＿Ｉ／Ｆは、ルータＨＵＢ２０４のポートの１つに接続され、ＰＳＴＮ回線Ｉ／Ｆはスプリッタ２０２のモジュラージャック（アナログインターフェース）に接続される。通信装置２０５は上述のメールサーバ部１１７によるメールサーバ機能を備える。
【００４１】
ルータＨＵＢ２０４は、いわゆるブロードバンドルータなどの名称で製品化されている装置で、ＡＤＳＬモデム２０３から割り当てられたグローバルＩＰアドレスを複数のローカルＩＰアドレスに変換する機能、あるいはさらにパケットフィルタリングのようなファイアウォール機能を実現するものである。ここでは簡略化のため、ルータとＨＵＢを一体化した構成を示しているがもちろんルータとＨＵＢの機能は別々の装置として構成されていてもよい。
【００４２】
ルータＨＵＢ２０４の他のＬＡＮポートにはＰＣ２０７、２０８（ＰＣ１、ＰＣ２）などが接続される。ＡＤＳＬモデム２０３は回線側はスプリッタ２０２から分割された高速アナログ回線を経由してインターネットサービスプロバイダ２０１に接続され、ＬＡＮポート側はＴＣＰ／ＩＰプロトコルおよびＤＨＣＰプロトコルによりグローバルＩＰアドレスをルータＨＵＢ２０４に割り当てる。インターネットサービスプロバイダ２０１は接続先の端末が公衆電話網に接続されたファクシミリの場合は電話網（ＰＳＴＮ）２１１に接続し、インターネット網に接続されたインターネットファクシミリや電子メールクライアントの場合はインターネット網２１０に接続する。
【００４３】
次に、この通信装置におけるファクシミリ送受信を実行する上で主要な処理の内容について説明する。以下にフローチャート（図３〜図５、図７）として示す通信制御、情報処理はＣＰＵ１０３のプログラムとして構成し、ＲＯＭ１０２（あるいは他の適当な記憶媒体）に格納しておけばよい。各フローチャートにおいて、同一図内で同一番号を付したフローはその位置で相互に連続しているものとする。
【００４４】
まず最初に、操作部１１３のワンタッチボタン（あるいは短縮ダイヤル操作）に対する宛先情報の登録処理について説明する。この処理は、操作部１１３で所定の操作により宛先情報登録処理が指示されたときに実行される。その概要は、図３のフローチャートに示す通りである。操作者は、登録キーを押下し登録操作を開始する（ステップＳ３０２）。
【００４５】
次に宛名１〜宛名ｎのワンタッチボタンの中から、これから宛先情報を登録しようとするボタンを押下することによっていずれか一つを選択する（ステップＳ３０３）。短縮ダイヤル操作の場合は、所望の短縮ダイヤル操作を行なう。
【００４６】
このとき、表示部１１４により図６に符号６０１で示すような表示を行ない、この表示を用いてユーザは操作部１１３により宛先名、ＦＡＸ番号６０１ａ、ＩＦＡＸアドレス（電子メールアドレス形式による）６０１ｂなどを入力する。宛先名とＦＡＸ番号とＩＦＡＸアドレスは、未登録状態では空欄で表示し、操作者は操作部１１３のキーを使ってこれらの空欄部に人名や会社名などといった相手を特定するための名称、当該名称の相手先に関するＦＡＸ番号（ＰＳＴＮの電話番号）、およびＩＦＡＸアドレス（電子メールアドレス）を入力する（ステップＳ３０４）。ＦＡＸ番号と電子メールアドレスは両方とも入力させるか、あるいは一方だけの入力も受け付けるようにしておいてもよい。入力が終了したら最後にステップＳ３０５で操作部１１３のＯＫキーを押下し登録終了（ステップＳ３０６）する。このような登録処理は、装置設置時のみならず随時行なえるようにしておく。
【００４７】
次に、ファクシミリ送信、すなわち、ＰＳＴＮ経由のファクシミリ送信およびＩＰ網（インターネット）経由のＩＦＡＸ送信処理について説明する。なお、本実施例では、ＩＦＡＸ通信はＩＴＵ−Ｔ勧告Ｔ．３７の電子メール手順を利用した方式により行なわれるものとする。
【００４８】
このファクシミリ送信処理は、図４のフローチャートに示す手順により構成され、操作部１１３のＦＡＸ送信キーを押下することによりファクシミリ送信が指示されると開始される。
【００４９】
操作者は次に操作部１１３のワンタッチダイヤルキーまたは短縮ダイヤルキーを押下することによって送信先の指定を行なう（ステップＳ４０１）。ワンタッチダイヤルキーによって宛名が指定されたら、該当するワンタッチダイヤルキー番号と、宛名と、登録されたＦＡＸ番号またはＩＦＡＸアドレスを表示部１１４に表示する（ステップＳ４０２）。この時の表示フォーマットは図６に示した登録時の表示と同じもの、あるいはこれに準じたものとする。図６のように、ある宛先に対してＦＡＸ番号とＩＦＡＸアドレスが双方とも登録されている場合には操作部１１３の適当な操作により発呼に用いる選択情報がこれらのいずれであるかを指定できるようにしておくのはいうまでもない。
【００５０】
次にここでスタートキーが押下されると（ステップＳ４０３）、ステップＳ４０１でＦＡＸ番号とＩＦＡＸアドレスのいずれが選択されたかを調べ、ＰＳＴＮ回線経由、またはインターネット経由のいずれのＦＡＸ送信を行なうかを決定する（ステップＳ４０４）。
【００５１】
ＰＳＴＮ回線経由のＦＡＸ送信の場合は、読み取り部１１２によりセットされた原稿を読み取り（ステップＳ４０５）、圧縮伸長部１１０により読み取った画像データをＧ３符号化し（ステップＳ４０６）、回線Ｉ／Ｆ部１０６のモデムによりＩＴＵ−Ｔ勧告Ｖ．８，Ｖ．２１，Ｖ．２７ｔｅｒ，Ｖ．２９，Ｖ．１７，あるいはＶ．３４などに基づいた変調を行い、ＰＳＴＮ経由で指定された宛先を発呼してファクシミリ送信を行なう（ステップＳ４０７）。
【００５２】
一方、ステップＳ４０２で電子メールアドレスが選択されている場合は、ステップＳ４０３でスタートキーが押下された後ステップＳ４０４を経由してＩＦＡＸ処理を開始する。まず、読み取り部１１２により原稿読み取りを行ない（ステップＳ４１３）、読み取った画像データは圧縮伸長部１１０によりＧ３符号化し（ステップＳ４１４）、さらにメール制御部１１６で選択された電子メールアドレス、発信元を表すデータなどからなるヘッダ情報を作成し、このヘッダ情報と、Ｇ３符号化した画像データをＴＩＦＦフォーマットに変換した上ＭＩＭＥフォーマット化して電子メールテキストに格納する（ステップＳ４１５）。生成された電子メールテキストは、メールサーバ部１１７がＩＳＰのメールサーバにＬＡＮ＿ＩＦ１１５経由で転送する（ステップＳ４１６）。
【００５３】
次にＰＳＴＮ経由のＦＡＸ送信、およびＩＦＡＸ送信後に、送信済み画像を自機のメールサーバ部１１７のフォルダに保管する処理について説明する。
【００５４】
ステップＳ４０８でＦＡＸ送信が終了するとステップＳ４０９で読み取った画像データを圧縮伸長部１１０によりＪＰＥＧ符号化（ただし一般的な電子メール処理プログラムで容易に取り扱えるような形式であればＪＰＥＧフォーマットである必要はなく、他のＧＩＦやＰＮＧなどの形式でもよい）する。
【００５５】
次に、ステップＳ４１０で、ＪＰＥＧ化し、さらにＭＩＭＥフォーマット化した画像データに電子メールのヘッダ情報を付加し、電子メールテキストを生成する。この電子メールのヘッダ情報は、たとえば次のように生成する。
【００５６】
送信元アドレス（From:）のユーザー名部分は、たとえば自機のＦＡＸ番号とし、ドメイン名部分は送信者本人を示すプライベートのドメイン名（ＬＡＮで用いるドメインが決まっている場合はそのドメイン名でもよい）とする。件名（Subject:）は内容がＦＡＸ送信済み画像データであることを示す文字列で構成するとともに、送信先の電話番号などを含めてもよい。また、宛先（To:）は送信者本人を示すメールアカウントとし、ユーザー名部分はＦＡＸ送信済み画像フォルダを示す文字列とし、ドメイン名部分は送信元のドメイン名と共通のプライベートのドメイン名とする。
【００５７】
このとき、さらに本装置のファクシミリ送信管理情報であることを示す特別なヘッダ（下記のX-FAX-transmission-data: の部分）を生成し、あるいはさらに公知のファクシミリ装置で１通信ごとに割り当てているような通し番号を示す特別なヘッダ（下記の X-FAX-transmission-count:）を付加することもできる。また、日時の情報（Date: たとえば現在時刻はファクシミリ送信終了時刻）なども必要に応じて生成される。以下に上記のように生成した電子メールヘッダの構成例（たとえば図６の宛先に対する送信で生成されるもの）を示す。
【００５８】
To: jkataoka@localnet
From: 0297-XX-XXXX@localnet
Subject: FAX Transmission to 0297-XX-0123 (田中耕二)
Date: Sat Aug 16 16:01:06 2003
MIME-Version: 1.0
X-FAX-transmission-data: FAX device 01 (serial # xxxx-xxxxxxx)
X-FAX-transmission-count: 1001
次に生成した電子メールテキストをステップＳ４１１で自機のメールサーバ部１１７に接続（ループバックＴＣＰアドレスの２５番（ＳＭＴＰ）ポートへの接続）してＳＭＴＰで送信し、送信後の附随処理が終了（ステップＳ４１２）する。
【００５９】
次に、ステップＳ４１７でＩＦＡＸ送信が終了した後の処理は、上記のステップＳ４０９〜Ｓ４１２と同等に構成されたステップＳ４１８〜Ｓ４２１で行なわれる。
【００６０】
ステップＳ４１８〜Ｓ４２１のステップＳ４０９〜Ｓ４１２との相違は、ステップＳ４１９におけるヘッダ情報の生成である。
【００６１】
たとえば、ステップＳ４１９では、送信元アドレス（From:）のユーザー名部分は自機のＩＦＡＸアドレスとする。件名（Subject:）はＩＦＡＸ送信時と同じ件名とする。宛先（To:）は送信者本人を示すメールアカウントとし、ユーザー名部分はＩＦＡＸ送信済み画像フォルダを示す文字列とし、ドメイン名部分はＦＡＸ送信済み画像フォルダのドメイン名と共通のプライベートのドメイン名とする。上記のように生成した電子メールヘッダの構成例（たとえば図６の宛先に対する送信で生成されるもの）を示す。
【００６２】
To: jkataoka@localnet
From: faxdevice001@localnet
Subject: IFAX Transmission to k.tanaka@xxx.co.jp (田中耕二)
Date: Sat Aug 16 16:01:06 2003
MIME-Version: 1.0
X-FAX-transmission-data: FAX device 01 (serial # xxxx-xxxxxxx)
X-FAX-transmission-count: 1002
上述のステップＳ４１１あるいはＳ４２０で送信された電子メールはメールサーバ部１１７により本装置の蓄積メモリ１０５内に設けられた「To:」アドレスに該当するユーザのフォルダに格納される。上のヘッダの例では、ステップＳ４１１あるいはＳ４２０で送信された電子メールはたとえば「/var/spool/mail/jkataoka」というフォルダに格納される。このようなユーザアカウントは、本装置を使用するユーザが各自登録できるようにしておけばユーザごとに送受信メールを仕分けることができる（ただし、faxadmin のようなデフォルトの管理者アカウントのみを用いる構成でもよい）。
【００６３】
上記のようにＰＳＴＮ経由のファクシミリ送信とＩＦＡＸ送信で異なるヘッダを用いる、たとえば「From:」ヘッダの構成を変えておくことにより、後でどの経路で送信を行なったかを容易に特定できる。
【００６４】
なお、メールサーバ部１１７が、Ｓｅｎｄｍａｉｌなど公知のＳＭＴＰサーバプログラムに準拠したごく一般的なＳＭＴＰ処理を行なうものであるとすれば、ＩＦＡＸ送信の場合は、ＩＳＰのメールサーバに送信するＩＦＡＸ電子メールのヘッダに「Bcc:」（あるいは「Cc:」）ヘッダを付加（たとえば「Bcc: jkataoka@localnet」のようなもの）しておけば、ステップＳ４１６でＩＳＰのメールサーバに送信する時に同時に上記のユーザフォルダへの格納を行なわせることもできる（ただし、この場合はＧ３／ＴＩＦＦ形式の添付ファイルとして画像データが電子メールに格納されるので、後程このデータを扱う電子メールプログラムにはＧ３／ＴＩＦＦ形式を取り扱える機能が必要となる）。
【００６５】
以上のようにして、ＰＳＴＮ経由のファクシミリ送信、またはＩＰ網経由のＩＦＡＸ送信の送信画像データを、ファクシミリ送信日時や宛先、内容、通し番号などの管理情報を含むヘッダを含む電子メールテキストとしてユーザフォルダ（あるいは管理者のフォルダ）に保管することができる。
【００６６】
このようにしてユーザフォルダに保管された電子メールデータは、通信装置２０５とＬＡＮ接続されているＰＣ（２０７、２０８など）からＰＯＰ３（あるいはＩＭＡＰ）でダウンロードすることができる。したがって、通信装置２０５のＦＡＸ送信結果およびＩＦＡＸ送信結果の管理をＰＣ（２０７、２０８など）の機能豊富な（あるいはユーザの好みの）電子メール処理プログラムを用いて、通常の経路で送信した電子メールとともに一元管理することができる。
【００６７】
次に、ＰＳＴＮ経由およびＩＰ網経由のファクシミリ受信処理について説明する。この処理は、図５のフローチャートに示す手順により構成されている。
【００６８】
回線Ｉ／Ｆ部１０６がファクシミリ着信を検出（ステップＳ５０２）すると、ステップＳ５０３でＰＳＴＮ回線経由のＧ３手順による受信処理を行なう。ここでは、回線Ｉ／Ｆ部１０６のモデムによりＩＴＵ−Ｔ勧告Ｖ．８，Ｖ．２１，Ｖ．２７ｔｅｒ，Ｖ．２９，Ｖ．１７，あるいはＶ．３４などに基づくアナログファクシミリ信号の復調が行なわれ、さらに圧縮伸長部１１０によりＭＨ，ＭＲ，ＭＭＲ等のファクシミリ画像の復号化を行なう（ステップＳ５０４）。復号化されたファクシミリ画像はプリンタ部１１１で記録出力、または蓄積メモリ１０５の所定領域に蓄積し（ステップＳ５０５）、処理を終了（ステップＳ５０６）する。
【００６９】
次に、ＦＡＸ受信した画像を本実施例の通信装置とＬＡＮ接続されたパソコンで閲覧および管理するために、本通信装置に備えたメールサーバ部１１７に保管する処理を開始する（ステップＳ５０７）。
【００７０】
まず、ステップＳ５０８で、受信した画像データをＪＰＥＧ符号化してＭＩＭＥエンコードし、ステップＳ５０９で電子メールのヘッダ情報を付加し電子メールテキストに変換する。
【００７１】
ステップＳ５０９のヘッダ作成の際、ＰＳＴＮ経由のファクシミリ受信で欠けている部分は適宜作成する。たとえば、送信元（From:）のアドレスのユーザー名部分はＦＡＸ送信側のＦＡＸ番号とし、ドメイン名部分は受信側である本通信装置を示すプライベートのドメイン名とする。件名（Subject:）はＦＡＸ受信画像とする。宛先（To:）は受信者すなわち本通信装置を示すメールアカウントとし、ユーザー名部分はＦＡＸ受信画像フォルダを示す文字列とし、ドメイン名部分は本通信装置を示すプライベートのドメイン名とする。上記のように生成した電子メールヘッダの構成例（たとえば図６の宛先からの受信で生成されるもの）を示す。
【００７２】
To: jkataoka@localnet
From: 0297-XX-0123@localnet (田中耕二)
Subject: FAX Reception from 0297-XX-0123 (田中耕二)
Date: Sat Aug 16 16:01:06 2003
MIME-Version: 1.0
X-FAX-reception-data: FAX device 01 (serial # xxxx-xxxxxxx)
X-FAX-reception-count: 2001
次に生成した電子メールテキストをステップＳ５１０で自機のメールサーバ部１１７に接続（ループバックＴＣＰアドレスの２５番（ＳＭＴＰ）ポートへの接続）してＳＭＴＰで送信し、送信後の附随処理が終了（ステップＳ５１１）する。
【００７３】
一方、ＩＦＡＸ受信処理の場合は、ステップＳ５１２以降の処理が行なわれる。本実施例のＩＦＡＸはＩＴＵ−Ｔ勧告Ｔ．３７方式であり、ファクシミリ受信データは電子メールとして受信する。
【００７４】
まず、ステップＳ５１３でＩＳＰのＰＯＰサーバから受信メールをＰＯＰ３によりダウンロードし、続いてステップＳ５１４で受信メールがＩＦＡＸファーマットか確認し、ＩＦＡＸフォーマットでなければ、ステップＳ５１５で通常の電子メールとして受信処理（ユーザフォルダへの格納）を行なう。なお、ステップＳ５１３のダウンロード処理は、操作部１１３のユーザ操作に応じて行なえるようにしておく他、タイマ計時などに応じて所定時間おきに実行できるようにしておく。
【００７５】
一方、ＩＦＡＸフォーマットであれば、電子メール制御部１１６によりステップＳ５１６で受信したメールデータからＴＩＦＦフォーマットの添付画像ファイルを抽出し、次にステップＳ５１７で圧縮伸長部１１０によりＭＨまたはＭＲまたはＭＭＲ等のＦＡＸ符号化されたデータを復号化して印刷可能なビットマップデータに復元する。この時メールのヘッダー情報やメール本文などのテキスト情報を画像化して画像の上部や下部に付加してもよい。次にステップＳ５１８でプリンタ部１１１でプリント出力、または蓄積メモリ１０５に蓄積してＩＦＡＸ受信処理を終了（ステップＳ５１９）する。
【００７６】
次に、ＩＦＡＸ受信した画像を本実施例の通信装置とＬＡＮ接続されたパソコンで閲覧および管理するために、ステップＳ５２０で本通信装置に備えたメールサーバ部１１７に保管する処理を開始する。
【００７７】
まず、ステップＳ５２０〜Ｓ５２４の処理は上述のステップＳ５０７〜Ｓ５１１の処理と同等であるが、ステップＳ５２２のヘッダ情報作成処理が少々異なる。
【００７８】
ステップＳ５２２の電子メールのヘッダ情報作成においては、送信元（From:）のアドレスのユーザー名部分はＩＦＡＸ送信側のアドレスとし、ドメイン名部分は受信側である本通信装置を示すプライベートのドメイン名とする。件名（Subject:）はＩＦＡＸ受信画像とする。宛先（To:）は受信者すなわち本通信装置を示すメールアカウントとし、ユーザー名部分はＩＦＡＸ受信画像フォルダを示す文字列とし、ドメイン名部分は本通信装置を示すプライベートのドメイン名とする。上記のように生成した電子メールヘッダの構成例（たとえば図６の宛先からの受信で生成されるもの）を示す。
【００７９】
To: jkataoka@localnet
From: k.tanaka@xxx.co.jp (田中耕二)
Subject: FAX Reception from k.tanaka@xxx.co.jp (田中耕二)
Date: Sat Aug 16 16:01:06 2003
MIME-Version: 1.0
X-FAX-reception-data: FAX device 01 (serial # xxxx-xxxxxxx)
X-FAX-reception-count: 2002
生成した電子メールテキストはステップＳ５２３で自機のメールサーバ部１１７に接続（ループバックＴＣＰアドレスの２５番（ＳＭＴＰ）ポートへの接続）してＳＭＴＰで送信し、受信後の附随処理が終了（ステップＳ５２４）する。
【００８０】
以上のようにして、ＰＳＴＮ経由のファクシミリ受信、またはＩＰ網経由のＩＦＡＸ受信した受信画像データを、ファクシミリ受信日時や宛先、内容、通し番号などの管理情報を含むヘッダを含む電子メールテキストとしてユーザフォルダ（あるいは管理者のフォルダ）に保管することができる。
【００８１】
上記のようにＰＳＴＮ経由のファクシミリ受信とＩＦＡＸ受信で異なるヘッダを用いる、たとえば「From:」ヘッダの構成を変えておくことにより、後でどの経路で受信を行なったかを容易に特定できる。
【００８２】
このようにしてユーザフォルダに保管された電子メールデータは、通信装置２０５とＬＡＮ接続されているＰＣ（２０７、２０８など）からＰＯＰ３（あるいはＩＭＡＰ）でダウンロードすることができる。したがって、通信装置２０５のＦＡＸ受信結果およびＩＦＡＸ受信結果の管理をＰＣ（２０７、２０８など）の機能豊富な（あるいユーザの好みの）電子メール処理プログラムを用いて、通常の経路で受信した電子メールとともに一元管理することができる。
【００８３】
以上の実施例によれば、簡単安価な構成によりＰＳＴＮ経由のファクシミリ通信、ＩＰ網経由のファクシミリ通信、および電子メール通信の通信管理を統合し、機能豊富で柔軟性のある、またユーザの好みの電子メール処理プログラムを用いて、ユーザが通信管理作業を極めて容易に行なえるようになる。上述のように、宛先、送信元、件名などの通信管理情報は所定フォーマットの電子メールのヘッダ情報として格納されるので、電子メール処理プログラムのソートや検索機能を利用して通信結果、日時、通信相手などの情報を容易に抽出することができる。
【００８４】
また、通信データそのもの、すなわち、送信／受信画像データが電子メールに添付されているため、送受信画像データそのものをＰＣ側に取り込んで保管することができる。
【００８５】
また、ユーザは通信装置２０５の傍に移動することなく、ＰＣからのリモート管理により通信装置２０５で行なったファクシミリ通信、および電子メール通信の通信管理を行なうことができる。メールのダウンロードにはごく一般的な電子メール処理プログラムが取り扱えるＰＯＰ３（あるいはＩＭＡＰなど）により容易に行なえる。
【００８６】
なお、蓄積メモリ１０５のユーザフォルダに電子メールデータとして格納された通信管理情報はＰＯＰ３のＤＥＬＥ命令などにより、ＰＣの側から任意のタイミングで、あるいはＰＣへのダウンロード時などのタイミングで明示的に削除することができるが、このようなダウンロードが長期間行なわれない場合などを考慮して、適当な管理期間の間（あるいは適当な数が溜まるまで）保管し、古いものから自動的に削除すればよい。また、蓄積メモリ１０５のユーザフォルダに電子メールデータとして保管中の通信管理情報は、操作部１１３の所定操作に応じて従来装置におけるように表示部１１４に表示したりプリンタ部１１１でプリント出力できるようにしておくとよい。
【００８７】
なお、以上では通常の電子メールに関しては、ＩＰ網側からの受信のみを示したが、もちろんメールサーバ部１１７は、適宜入力した画像データを送信したり、ＬＡＮのＰＣ（２０７、２０８）の電子メール転送にも利用できる。図７にメールサーバ部１１７を電子メール発信に用いる場合の制御を示す。
【００８８】
図７では、送信メール本文を作成する異なる３つの方法を例示している。その１つは、読み取り部１１２で読み取った画像データ、あるいは不図示のハンドセットなどから入力した音声データを認識（ＯＣＲあるいは音声認識処理）して文字コードに変換する（ステップＳ７２１、Ｓ７２２）ものである。このようにして生成された電子メールテキストはメールサーバ部１１７の送信キューに格納する。
【００８９】
また、他の１つは、操作部１１３のキーボードおよび表示部１１４のユーザーインターフェースを用いてテキスト入力するものである（ステップＳ７１１）。この場合、必要であれば、ユーザフォルダに電子メールデータとして格納された通信管理情報中の画像データや、新たに読み取り部１１２で読み取った画像データを添付ファイルとして追加することもできる（ステップＳ７１２）。このようにして生成された電子メールテキストはメールサーバ部１１７の送信キューに格納する。
【００９０】
最後の方法は、ＬＡＮのＰＣ（２０７、２０８）からＳＭＴＰで電子メールの転送を受け付けるものである。この場合、ＰＣの電子メール処理プログラムを通信装置２０５のメールサーバ部１１７を電子メール発信用のＳＭＴＰサーバに用いるようセットアップしておけば、ＰＣの電子メール処理プログラムで通常の発信操作を行なえばその電子メールデータがメールサーバ部１１７の送信キューに格納される（ステップＳ７０１）。
【００９１】
ステップＳ７０１、ステップＳ７１１〜Ｓ７１２、ステップＳ７２１〜Ｓ７２２によりメールサーバ部１１７の送信キューに格納された電子メールテキストは、ステップＳ７２３においてＳＭＴＰによりＩＳＰのメールサーバに転送する。
【００９２】
図４および図５の処理にさらに図７の処理を追加すれば、通信装置２０５をローカルネットワークの電子メール送受信を処理するメールサーバとして機能させることができる。
【００９３】
以上では、インターネットファクシミリ通信方式としてＩＴＵ−Ｔ勧告Ｔ．３７準拠の通信方式を例示したが、本発明は主にファクシミリ送受信後の通信管理に関するものであり、ファクシミリ通信の手法自体を限定するものではなく、ＩＴＵ−Ｔ勧告Ｔ．３８のファクシミリ通信方式など、任意のファクシミリ通信方式を利用できるのはいうまでもない。
【００９４】
以上では、ＬＡＮ側のＰＣ（２０７、２０８）に対して電子メールデータとして蓄積したファクシミリ通信管理情報をＰＯＰ３などのプロトコルによりダウンロードする例を示したが、通信装置２０５はＬＡＮ＿ＩＦ１１５（あるいはさらにルータＨＵＢ２０４）経由でＩＰ網（インターネット）側にも接続できる。したがって、電子メールデータとして蓄積したファクシミリ通信管理情報は、ＰＯＰ３（あるいはＩＭＡＰなど他のメールダウンロードプロトコル）接続の際に適切なユーザ名およびパスワードを用いれば、また、途中の通信経路で該当のポートが遮断されていなければ、ＩＰ網（インターネット）側の機器からもダウンロードできる。
【００９５】
ただし、セキュリティを考慮して、通信装置２０５はＬＡＮ側のＩＰアドレスからしかＰＯＰ３（あるいはＩＭＡＰなど他のメールダウンロードプロトコル）接続を受け付けないよう構成してもよく、また、ＬＡＮ側のＩＰアドレス以外からの該接続を受け付けるかどうかを設定できるようなユーザ設定手段を設けておいてもよい。
【産業上の利用可能性】
【００９６】
本発明は、ＰＳＴＮまたはＩＰ網を経由して画像通信を行なう通信装置に適用できる。本発明の方法ないしプログラムはこのような通信装置に適当な記憶媒体経由、あるいはネットワーク経由でＰＣハードウェアに導入することができる。
【図面の簡単な説明】
【００９７】
【図１】本発明を採用した通信装置の構成を示したブロック図である
【図２】本発明を採用した通信装置の接続構成例を示すブロック図である。
【図３】本発明を採用した通信装置の宛先情報登録処理を示すフローチャート図である。
【図４】本発明を採用した通信装置のファクシミリ送信処理を示すフローチャート図である。
【図５】本発明を採用した通信装置のファクシミリ受信処理を示すフローチャート図である。
【図６】本発明を採用した通信装置の宛先登録ないし表示例を示した説明図である。
【図７】本発明を採用した通信装置の電子メール送信処理を示すフローチャート図である。
【符号の説明】
【００９８】
１０２  ＲＯＭ
１０３  ＣＰＵ
１０４  ＲＡＭ
１０５  蓄積メモリ
１０６  回線Ｉ／Ｆ部
１０７  ＩＯ制御部Ａ
１０８  ＩＯ制御部Ｂ
１０９  画素密度変換部
１１０  圧縮伸長部
１１１  プリンタ部
１１２  読み取り部
１１３  操作部
１１４  表示部
１１５  ＬＡＮ  Ｉ／Ｆ部
１１６  メール制御部
１１７  メールサーバ部
【図１】
2005159698.tif 000003
【図２】
2005159698.tif 000004
【図３】
2005159698.tif 000005
【図４】
2005159698.tif 000006
【図５】
2005159698.tif 000007
【図６】
2005159698.tif 000008
【図７】
2005159698.tif 000009